(57)【要約】【課題】      解決しようとする問題点は、納骨容器を陶磁器製ではなく、廃棄処分を容易にできる納骨容器を開発すること、更には納骨容器そのものに装飾体を設けること、更には常時納骨容器内部を乾燥状態とすること、更には納骨容器に遺骨の故事来歴を記すことである。【解決手段】  納骨容器を紙類又は水引又はパルプで成形し、且つ納骨容器を紙類、不織布、水引等からなる装飾体で飾ること、更には納骨容器内部を常時乾燥状態にすること、更には納骨容器に遺骨の故事来歴を記すこと、これらが課題を解決するための手段である。【選択図】図１
2011015931.tif 000002
【特許請求の範囲】
【請求項１】
上部を開放した容器と、当該容器に冠着する蓋により構成された納骨容器であり、当該容器及び蓋を紙類又はパルプにより成形してなる紙類からなる納骨容器。
【請求項２】
前記容器に冠着する蓋を略半円球状とし、当該蓋の外面には水引又は紙、不織布等により形成した多数の装飾体を固着してなる請求項１の紙類からなる納骨容器。
【請求項３】
前記容器と、当該容器に冠着する半円球状の蓋を水引細工により形成すると共に、蓋の外面には水引又は紙、不織布等により形成した多数の装飾体を固着してなる請求項１の紙類からなる納骨容器。
【発明の詳細な説明】
【技術分野】
【０００１】  本発明は、遺骨を収納する納骨容器に関するものである。
【背景技術】
【０００２】  従来より骨つぼ（納骨容器）は白の陶磁器製の蓋付容器が一般的であり、格別に個性的な形状のものはみかけない。【０００３】  一方、納骨の方法は、現在では納骨堂或いは墓の納骨室に骨つぼのまま納骨するのが主流に成っているが、昔は人が亡くなると、その遺体を棺桶に納めて、地面に穴を掘り、地下へ埋葬していたことから分かるように、遺骨は土に還すということが本来の考えであり、現在でも、宗派又は地方によっては四十九日の法要後、遺骨は骨つぼから出して墓の納骨室内に散骨されている。即ち極端に言えば、骨つぼは火葬場から墓地へ遺骨を運ぶための容器でしかないのである。【０００４】  また現在の骨つぼは磁器製品がほとんどであり、納骨室内に遺骨を散骨した後、その骨つぼの処理という問題もあった。住職等は、使用済みの骨つぼは小さく割って、屋敷内の人の踏まないような場所に埋めなさいというが、実際に割って屋敷内に埋めるというのも遺骨が入っていた骨つぼということから、なかなか難しい問題もあり、仮に屋敷内に埋めるとしても広い屋敷を有している田舎の家はそれで問題がないとしても、都会に居住する人たちにとっては困難なことであり、場合に寄っては、割って不燃ごみとして出すようなこともあったのである。【０００５】  近年、ロッカータイプの納骨システムが開発されているが、当該ロッカータイプの納骨システムも、ロッカーの納骨室内部に骨つぼを収納すれば、その周辺にはあまり余裕はなく、献花する余地もないというのが実情である。また仮に献花可能な広さであっても、納骨室は扉で閉ざされることから生花を献花することは困難であった。【０００６】  また、寺院等に納骨して永代供養とすることもあるが、当該永代供養も必ずしもその文字に表される永代ではなく、段階があって、早い場合は１年で集合納骨に移管されることがある、この場合も、納骨している容器は不要となり、その容器の処分に困っているのが実情である。【０００７】  一方、従来の骨つぼは内部に湿気、露滴等による水が溜まることが問題になっており、この問題を解決するためには納骨容器内を常時乾燥状態に保持することが望まれる。【０００８】  従来より位牌には戒名が記されているだけで、遺骨の来歴等は個人墓であれば拝み石の側面とか背面に刻設されており、○○家の墓等の集合墓には霊標に刻設されているが、納骨容器には一般的に何の表示もされておらず、古いものになれば誰の骨つぼかの判別も難しいのは周知である。【０００９】  一方、拝み石とか霊標に刻設するにも、面積、即ち文字数の制限という問題もあり、特に最近は多い○○家の墓というような集合墓の霊標に刻設する場合には、多くても故人の俗名、没年月日、家族との関係程度しか刻設されていないのが現状である。【００１０】  最近、情報開示に２次元コードが利用されており、その中でもマトリックス方式の２次元コード、例えばＱＲコード（株式会社デンソーウェーブ商標）が広く利用されていることは周知である。当該ＱＲコードであれば漢字及びひらがなで１．８１７文字を記録することが出来る。またこのＱＲコードについては、特許権者のデンソーウェーブは、規格化された技術に対し特許権を行使しないと宣言している。
【発明の開示】
【発明が解決しようとする課題】
【００１１】  解決しようとする問題点は、納骨容器を陶磁器製ではなく、廃棄処分を容易にできる納骨容器を開発すること、更には納骨容器そのものに装飾体を設けること、更には常時納骨容器内部を乾燥状態とすること、更には納骨容器に遺骨の故事来歴を記すことである。
【課題を解決するための手段】
【００１２】  本発明は、納骨容器を紙類又は水引又はパルプで成形し、且つ納骨容器を紙類、不織布、水引等からなる装飾体で飾ること、更には納骨容器内部を常時乾燥状態にすること、更には納骨容器に遺骨の故事来歴を記すこと、これらが課題を解決するための手段である。
【発明の効果】
【００１３】  納骨容器は従来は陶磁器の単なる白いつぼであったが、上部を開放した容器と、当該容器に冠着する蓋により構成された納骨容器であり、当該容器及び蓋を紙類又はパルプにより成形してなる紙類からなる納骨容器であり、更には、前記容器に冠着する蓋を略半円球状とし、当該蓋の外面には水引又は紙、不織布等により形成した多数の装飾体を固着してなる紙類からなる納骨容器であり、更には、前記容器と、当該容器に冠着する半円球状の蓋を水引細工により形成すると共に、蓋の外面には水引又は紙、不織布等により形成した多数の装飾体を固着してなる紙類からなる納骨容器であるから、まず陶磁器製と異なり重量が軽く、更に廃棄処分が容易である。ロッカータイプの納骨室内に花笠タイプの納骨容器を入れることで、納骨容器は常に花に飾られており、雰囲気も和らぐものである。この花笠部分を紙、不織布、水引等で製作することで、色彩、着色等オリジナルに製作でき、海外に輸出する場合には日本古来の紙文化を啓蒙できるものである。また納骨容器内を真空にすることで、容器内は常時乾燥した状態となり、遺骨が湿気、水分により侵されることはない、しかも、２次元コード、本実施例においてはＱＲコードを付することにより、納骨容器に遺骨の故事来歴等を詳細に格納することが出来る等、極めて実用的な効果を有し、更には紙類を用いることにより、軽い、焼却できる、環境に優しい、彩色が容易である、安価に製作できる、素材の紙類に鉱物、炭等を微粉砕して混入することにより、納骨室内の空気の浄化とか環境の浄化が可能である等、極めて顕著なる種々の効果を有するものである。
【発明を実施するための最良の形態】
【００１４】  本発明は、上部を開放した容器と、当該容器に冠着する蓋により構成された納骨容器であり、当該容器及び蓋を紙類又はパルプにより成形してなる紙類からなる納骨容器であり、更には、前記容器に冠着する蓋を略半円球状とし、当該蓋の外面には水引又は紙、不織布等により形成した多数の装飾体を固着してなる紙類からなる納骨容器であり、更には、前記容器と、当該容器に冠着する半円球状の蓋を水引細工により形成すると共に、蓋の外面には水引又は紙、不織布等により形成した多数の装飾体を固着してなる紙類からなる納骨容器を呈せんとするものである。
【実施例１】
【００１５】  図１に示すように、容器１は円筒状で下方に向けて末広がりとし、下端部分には更に大径とした台座部２を設けると共に、内部は底を残して空洞（納骨部３）、即ち上部を開放した容器１を紙類又はパルプにより形成する。当該容器１に冠着する蓋４は略半円球状とし、同じく紙類又はパルプ製としている。当該蓋４の外面には和紙又は不織布又は水引細工からなる多数の装飾体５、５…を固着し納骨容器Ａとしている。装飾体５の種類、大きさ、固着方法に限定を受けるものではない。尚、容器１の形状については、当該実施例の形状に限定を受けるものではない。【００１６】  容器１は円筒状で下方に向けて末広がりとし、下端部分には更に大径とした台座部２を設けると共に、内部は底を残して空洞（納骨部３）、即ち上部を開放した容器１を水引細工にて成形し、当該容器１に冠着する蓋４は略半円球状とし、同じく水引細工にて成形している。尚、容器１の形状については、当該実施例の形状に限定を受けるものではない。【００１７】  図示はしていないが、容器１の上部に中蓋を配設し、当該中蓋に適宜の空気弁を設けて納骨部３を真空状態としている。空気弁については、納骨部３の空気を抜いて真空にできる弁であれば、その形態は問わない。【００１８】  容器１の表面には、収納される遺骨の故事来歴等を格納したマトリックス方式の２次元コード７、例えばＱＲコード（株式会社デンソーウェーブ商標）を付している。
【実施例２】
【００１９】  図２に示すように、本体１の下端部分に位置する台座部２の下に更に適宜の高さで台座部２より更に大径の台座６を設けたものも実施している。
【産業上の利用可能性】
【００２０】  本発明は、上部を開放した容器１と、当該容器１に冠着する蓋４により構成された納骨容器であり、当該容器１及び蓋４を紙類又はパルプにより成形してなる紙類からなる納骨容器であり、更には、前記容器１に冠着する蓋４を略半円球状とし、当該蓋４の外面には水引又は紙、不織布等により形成した多数の装飾体５、５…を固着してなる紙類からなる納骨容器であり、更には、前記容器１と、当該容器１に冠着する半円球状の蓋４を水引細工により形成すると共に、蓋４の外面には水引又は紙、不織布等により形成した多数の装飾体５、５…を固着してなる紙類からなる納骨容器であるから、まず陶磁器製と異なり重量が軽く、更に廃棄処分が容易である。またロッカータイプの納骨室内に花笠タイプの納骨容器Ａを入れることで、納骨容器Ａは常に花に飾られており、雰囲気も和らぐものである。この花笠部分を紙、紙製品、水引等で製作することで、色彩、着色等オリジナルに製作でき、海外に輸出する場合には日本古来の紙文化を啓蒙できるものである。また納骨容器Ａ内を真空にすることで、納骨部３内は常時乾燥した状態となり、遺骨が湿気、水分により犯されることはない、しかも、２次元コード７、本実施例においてはＱＲコード７を付することにより、納骨容器Ａに納骨された遺骨の故事来歴等を詳細に格納することが出来る。更には紙類を用いることにより、軽い、焼却できる、環境に優しい、彩色が容易である、安価に製作できる、素材の紙類に鉱物、炭等を微粉砕して混入することにより、納骨室内の空気の浄化とか環境の浄化が可能である。更には、和紙、水引を素材として日本の伝統文化を継承でき、また地域産業資源、紙、紙製品、水引を活用出来る等、産業上での利用可能性は極めて大きいものがある。
【図面の簡単な説明】
【００２１】
【図１】  納骨容器の斜視図
【図２】  納骨容器の一部断面した側面図
【図３】  他の実施例を示す納骨容器の斜視図
【図４】  ２次元コードを焼付けた納骨容器の側面図
【図５】  水引細工の鶴を表す参考写真
【図６】  水引細工の亀を表す参考写真
【図７】  水引細工の花を表す参考写真
【符号の説明】
【００２２】  １  容器
２  台座部
３  空洞（納骨部）
４  蓋
５  装飾体
６  台座
７  ２次元コード（ＱＲコード）
【図１】
2011015931.tif 000003
【図２】
2011015931.tif 000004
【図３】
2011015931.tif 000005
【図４】
2011015931.tif 000006
【図５】
2011015931.tif 000007
【図６】
2011015931.tif 000008
【図７】
2011015931.tif 000009